(57)【要約】【課題】気に入ったメイク済みの顔写真を再現可能とした写真スタジオ用カルテを提供すること。【解決手段】写真スタジオで顔にメイクをされた後の該顔に対して撮影をされた顧客に該撮影後に引き渡され、該顧客が該写真スタジオに再来するときに利用される写真スタジオ用カルテ１であって、前記撮影によって撮像された前記顧客の顔画像２と、撮影条件を特定する情報３と、が記録され、好ましくは、前記顔画像２とは別に前記顔画像の所定部位の画像、メイクの施術方法に関する情報、メイクに利用した化粧品を特定する情報及び／又は撮影に関する撮影情報が記録されたことを特徴とする写真スタジオ用カルテ。【選択図】        図１
2005186580.tif 000002
【特許請求の範囲】
【請求項１】
写真スタジオで顔にメイクをされた後の該顔に対して撮影をされた顧客に該撮影後に引き渡され、該顧客が該写真スタジオに再来するときに利用される写真スタジオ用カルテであって、
前記撮影によって撮像された前記顧客の顔画像と、撮影条件を特定する情報と、が記録されたことを特徴とする写真スタジオ用カルテ。
【請求項２】
前記顔画像とは別に前記顔画像の所定部位の画像が記録されたことを特徴とする請求項１記載の写真スタジオ用カルテ。
【請求項３】
前記メイクの施術方法に関する情報が記録されたことを特徴とする請求項１又は２記載の写真スタジオ用カルテ。
【請求項４】
前記メイクに利用した化粧品を特定する情報が記録されたことを特徴とする請求項１、２又は３記載の写真スタジオ用カルテ。
【請求項５】
前記撮影に関する撮影情報が記録されたことを特徴とする請求項１〜４の何れかに記載の写真スタジオ用カルテ。
【請求項６】
綴じ具に綴じることができる綴じ穴を付与したことを特徴とする請求項１〜５の何れかに記載の写真スタジオ用カルテ。
【発明の詳細な説明】
【技術分野】
【０００１】
本発明は、写真スタジオ用カルテに関し、詳しくは、気に入ったメイク済みの顔写真を再現可能とした写真スタジオ用カルテに関する。
【背景技術】
【０００２】
従来、写真スタジオにおいては、成人式や七五三等の記念日に写真撮影することが行われてきている。
【０００３】
ところが近年では、このような記念日に写真撮影を行う感覚とは別の感覚で写真スタジオでの写真撮影を行うということも普及してきている。例えば、プロの手によりメイクを施した後に写真撮影を行うことにより、いつもとは違った雰囲気の顔で撮影された写真を提供する写真スタジオ等がある。
【発明の開示】
【発明が解決しようとする課題】
【０００４】
しかし、このような写真スタジオにおいて、撮影を行い、メイクを落としてしまった後に、また同様のメイクを施して撮影を行いたくても、同じメイクを再現することは難しく、また、撮影条件によって写真の写りは変動するものであるので、写真をもとに同様のメイクをすることは例えプロの手によっても困難なものであった。
【０００５】
そこで本発明の課題は、気に入ったメイク済みの顔写真を再現可能とした写真スタジオ用カルテを提供することにある。
【０００６】
本発明のその他の課題は、以下の記載によって明らかになる。
【課題を解決するための手段】
【０００７】
本発明の課題は、以下の各発明によって解決される。
【０００８】
（請求項１）写真スタジオで顔にメイクをされた後の該顔に対して撮影をされた顧客に該撮影後に引き渡され、該顧客が該写真スタジオに再来するときに利用される写真スタジオ用カルテであって、前記撮影によって撮像された前記顧客の顔画像と、撮影条件を特定する情報と、が記録されたことを特徴とする写真スタジオ用カルテ。
【０００９】
（請求項２）前記顔画像とは別に前記顔画像の所定部位の画像が記録されたことを特徴とする請求項１記載の写真スタジオ用カルテ。
【００１０】
（請求項３）前記メイクの施術方法に関する情報が記録されたことを特徴とする請求項１又は２記載の写真スタジオ用カルテ。
【００１１】
（請求項４）前記メイクに利用した化粧品を特定する情報が記録されたことを特徴とする請求項１、２又は３記載の写真スタジオ用カルテ。
【００１２】
（請求項５）前記撮影に関する撮影情報が記録されたことを特徴とする請求項１〜４の何れかに記載の写真スタジオ用カルテ。
【００１３】
（請求項６）綴じ具に綴じることができる綴じ穴を付与したことを特徴とする請求項１〜５の何れかに記載の写真スタジオ用カルテ。
【発明を実施するための最良の形態】
【００１４】
以下、本発明の実施の形態について図面を参照して説明する。
【００１５】
図１は、本発明の写真スタジオ用カルテの一例を示す図である。
【００１６】
図１において、本発明の写真スタジオ用カルテ１は、顔画像２と店名欄３とが記録されてなる。
【００１７】
写真スタジオ用カルテ１は、写真スタジオで顔にメイクをされた後の該顔に対して撮影をされた顧客に該撮影後に引き渡され、該顧客が写真スタジオに再来するときに利用される。このとき、撮影した写真スタジオと再来する写真スタジオとは必ずしも同一の写真スタジオでなくてもよい。
【００１８】
本発明においてメイクとは、顔面等に施す化粧という狭義のメイクに限らず、顔面等に施す化粧とヘアメイクとを含む広義のメイクも含まれる。
【００１９】
顔画像２は、顔及び顔周辺を含んだ画像であり、顔にメイクをされた後の該顔に対して撮影をすることによって得られた画像である。１回の撮影において複数の写真を撮影した場合、顔画像２とされる画像は、顧客が選択することとしたり、予め決められた画像を顔画像２として用いたりしてもよい。
【００２０】
写真スタジオに再来したときに、顧客が再び同じメイクを希望する場合は、顔画像２が表示されているので、顧客は撮影した写真を持ち運ぶ必要なくメイクをする人（顧客自身でも良い）に該顔写真２を参考に同じメイクを施してもらうことができる。
【００２１】
また、顔画像２とする画像を顧客が選択することとすれば、顧客は気に入った写真を特別なものとして所持することができる満足感が得られる。
【００２２】
店名欄３には、撮影条件を特定する情報が記録される。本実施例では撮影条件を特定する情報として写真スタジオの特定条件が記録されている。写真スタジオの特定条件は、写真撮影可能な複数のスタジオを備えた特定の店舗（例えば「Ａ店」とかの店名）を示すためのものや、複数の店舗からなるグループ（例えば「Ｂグループ」とかのチェーン名）を示すためのものであってもよい。
【００２３】
撮影条件とは、撮影を行う際に調整可能な機器のパラメータを特定するための条件であって、撮影して出来上がった画像に影響を与え得る条件である。例えば、照明をどの光源をどの位置からどれだけの光量被写体に照射するのかを特定する照明条件や、何色の背景を使用するかを特定する背景色条件や、シャッタースピードを何秒にするかを特定するシャッター条件や、どのようなフィルムを使用したのかのフィルム条件やどのような印画紙を使用したのかの印画紙条件等が挙げられる。
【００２４】
本実施例においては、撮影条件は、写真スタジオの特定条件により特定される。例えば、各写真スタジオと各写真スタジオの撮影条件とを関連づけた図２に示すようなテーブルを写真スタジオで用意しておき、該テーブルに基づいて撮影条件を決定することができる。写真スタジオが特定されると、照明、シャッタースピード等の撮影条件が決まる。決定された撮影条件で撮影すれば、写真スタジオに再来したときに、再び前回と同じ条件の撮影ができるので、再び同じような満足のいく写真を得ることができる。図２では、撮影条件を「照明Ａ、背景Ｂ」などと省略して記載してあるが、画像に影響を与える範囲で必要な条件を具体的な機種名や数値で決定することが好ましい。例えば、各写真スタジオと各写真スタジオの撮影条件とを関連づけたテーブルを、コンピュータの主記憶部に記憶しておき、本発明の写真スタジオ用カルテ１の店名欄３に記録される写真スタジオの特定条件を当該コンピュータに入力してコンピュータの処理によって当該テーブルから撮影条件を抽出することもできる。
【００２５】
店名欄３の記録の方法は、本実施例に示すように、「Ｂｅ  Ｈｏｕｓｅ  六本木店」というように、視覚的に確認可能な状態、即ち顕在的に表示する態様であってもよいし、電磁気的方法等によって視覚的に確認不可能な状態、即ち潜在的に表示させる方法であってもよい。視覚的に確認可能な状態に表示すると、写真スタジオ用カルテを扱う際に常に写真スタジオの情報が顧客等に確認されるので、写真スタジオの宣伝効果がある。また、顧客にとっては、どの写真スタジオで撮影したのかが一目で分かるという利点がある。
【００２６】
また、店名欄３の記録の方法は、本実施例に示すように、写真スタジオ用カルテ１の顔画像２と同じ面側に記録される態様でもよいが、反対の面側に記録される態様でもよい。
【００２７】
このように、本発明の写真スタジオ用カルテは、撮影された顔画像と写真スタジオの特定条件とが記録されているので、顔のメイクや撮影条件を整えることができ、再び同じ顔写りの状態を再現できるので、気に入ったメイク済みの顔写真を再現可能となる。
【００２８】
また、本発明の写真スタジオ用カルテ１には、好ましくは、クローズアップ欄４ａ、４ｂ、４ｃ、コメント欄５ａ、５ｂ、５ｃ、５ｄ、５ｅ、化粧品欄６ａ、６ｂ、６ｃ及び／又は撮影情報欄７が設けられている。
【００２９】
クローズアップ欄４ａ、４ｂ、４ｃには、所定部位の画像が記録される。特定部位の画像とは、メイクを行う際に特に重要となる部位の画像であり、例えば眉、目、唇、頬、サイドヘア、バックヘア等の画像が挙げられる。所定部位の画像をどの部位の画像とするかは、予め決められていてもよいが、撮影の際にメイクを行った人が選択するようにすれば、メイクのポイントをより分かり易く伝えることができる。
【００３０】
所定部位の画像が記録されていることにより、メイクを行う際に、重要となる部分のメイクを視覚的に確認することができる。
【００３１】
コメント欄５ａ、５ｂ、５ｃ、５ｄ、５ｅには、メイクの施術方法に関する情報が記録される。メイクの施術方法に関する情報とは、再度同じメイクを施術する際に参考となる情報であり、メイクを行う際に、どのような方法で施術をするかのコメントとか、どのようなことを注意すべきかのコメントとか、メイクの施術をする上で参考になる情報である。メイクの施術方法に関する情報として記録されるコメントは、メイクを行った人が自由に決定して記録するようにしてもよいし、予め用意されたコメントの中から選択して記録してもよい。
【００３２】
本実施例では、コメント欄５ａ、５ｂ、５ｃには、「濃い色を淡い色でぼかすと派手な色も自然に発色」、「グロッシーなリップを直塗りして光沢感を」、「ワックスで毛先の動きを」等というように、ポイントメイクごとの情報が記録されている。メイクの要点となるポイントメイクを行う際に、より再現性の高い施術を行うことができる。
【００３３】
また、コメント欄５ｄには、「あなたの目は綺麗なアーモンド形です。」というように、メイクの下地となる素顔の特徴のうち、メイクを行う際に意識した特徴部分に対するコメントや特徴部分に対する施術時の注意点が記録されている。
【００３４】
コメント欄５ｅには、「本日は季節に合わせたパステルカラーを使用しました。」というように、全体としてメイクの意識した部分に対するコメントが記録されている。
【００３５】
メイクの施術方法に関する情報が記録されることによって、仕上がり画像からだけでは分からない、塗り方、メイクのポイント部分等のテクニックなどを写真スタジオに再来した時に、具体的に分かるので、メイクを再現する上で非常に参考となる。
【００３６】
コメント欄５ａ、５ｂ、５ｃは、各コメント欄に記録された内容に関係する所定部位の画像４ａ、４ｂ、４ｃと近接して記録することが更に好ましい。例えば、本実施例では、「濃い色を淡い色でぼかすと派手な色も自然に発色」とのコメントが記録されたコメント欄５ａは、目元の画像４ａと近接して表示されており、「グロッシーなリップを直塗りして光沢感を」とのコメントが記録されたコメント欄５ｂは、口元の画像４ｂと近接して記録されている。このように近接して記録することによって、実際の画像を見ながらコメントを確認できるので、分かり易い構成となっている。
【００３７】
また、化粧品欄６ａ、６ｂ、６ｃには、メイクに使用した化粧品を特定する情報が記録されていることが好ましい。
【００３８】
メイクに使用した化粧品を特定する情報とは、化粧品のメーカ名、品番、色パッチ等が挙げられる。
【００３９】
図１に示す例では、化粧品欄６ａには、化粧品のメーカ名及び品番である「（Ａ社青色５番）」と、当該記載の左側の円形部分で示される当該化粧品の色と同色の色パッチが記録されており、化粧品欄６ｂには、化粧品のメーカ名及び品番である「（Ｃ社Ｖ０７番）」と、当該記載の左側の円形部分で示される当該化粧品の色と同色の色パッチが記録されており、化粧品欄６ａには、化粧品のメーカ名及び種類名である「（Ｂ社リキッドワックス）」が記録されている。
【００４０】
メイクに使用した化粧品を特定する情報が記録されていることによって、顧客にとっては、気に入ったプロのメイクを自分のものとする際に、化粧品を揃える参考となり、また、写真スタジオに再来したときに、同様のメイクの施術をしてもらうために利用することもできる。
【００４１】
また、メイクに使用した化粧品を特定する情報として色パッチを記録することによって、スタジオ外でも、また他社メーカの化粧品でも顧客が選択して購入することもできる。
【００４２】
かかる化粧品欄６ａ、６ｂ、６ｃも、ポイントメイクに関する化粧品が記録された化粧品欄については、関連する所定部位の画像に近接して記録することが更に好ましい。
【００４３】
また、撮影情報欄７には、撮影に関する情報が記録される。撮影に関する情報は、その撮影に関わった人やその撮影を特定するための情報等が挙げられ、例えば、顧客の氏名や撮影年月日、ポイントメイクのみ／フルメイク／メイク無し等のメイクの種類やメイクをした人の氏名等が挙げられる。図１に示す例では、顧客の氏名「鈴木さくら様」、撮影年月日「２００３年１０月１５日」、メイクの種類「フルメイク」、メイクをした人の氏名「石田晴彦」がそれぞれ記録されている。
【００４４】
撮影に関する情報が記録されていることによって、写真スタジオ側は該情報に基づいて顧客リスト等を作り、該情報を付与した写真スタジオ用カルテが顧客のＩＤカードとなるので、顧客の管理が容易になる。また、顧客は、該情報に含まれるメイクをした人を手掛かりに、気に入ったメイク担当者を選択したりすることもできる。
【００４５】
好ましく設けられるクローズアップ欄４ａ、４ｂ、４ｃ、コメント欄５ａ、５ｂ、５ｃ、５ｄ、５ｅ、化粧品欄６ａ、６ｂ、６ｃ及び／又は撮影情報欄７は、本実施例に示すように、視覚的に確認可能な状態、即ち顕在的に表示する態様であってもよいし、電磁気的方法等によって視覚的に確認不可能な状態、即ち潜在的に表示させる方法であってもよい。また、その設けられる面も、写真スタジオ用カルテ１の顔画像２と同じ面側でもよいが、反対の面側でもよい。
【００４６】
更に、本発明の写真スタジオ用カルテには、綴じ穴８を付与することも好ましい態様である。綴じ穴８は、本実施例に示すように、側端部に２つ付与される態様以外にも、上部に設けられる態様であってもよいし、数も１つ又はそれ以上であってもよい。また穴の形も円形に限定されない。綴じ穴８によって、手帳等に綴じ込んで保存可能となるので、持ち運びや取り扱いが便利になる。また、綴じ込んだ手帳さえ所持していれば、顧客が思い立った時に気軽に写真スタジオに再来してメイクの再現された写真撮影をすることができるという利便性および集客性の向上につながる。
【図面の簡単な説明】
【００４７】
【図１】本発明の写真スタジオ用カルテの一例を示す図
【図２】各写真スタジオと各写真スタジオの撮影条件とを関連づけたテーブルの一例を示す図
【符号の説明】
【００４８】
１：写真スタジオ用カルテ
２：顔画像
３：店名欄
４ａ、４ｂ、４ｃ：クローズアップ欄
５ａ、５ｂ、５ｃ、５ｄ、５ｅ：コメント欄
６ａ、６ｂ、６ｃ：化粧品
７：撮影情報欄
８：綴じ穴
【図１】
2005186580.tif 000003
【図２】
2005186580.tif 000004